(57)【特許請求の範囲】
【請求項１】
ズーミングにともなって被写体光学像の結像面位置が変動するバリフォーカルズームレンズを用いて構成した撮像光学系と、
前記撮像光学系により結像される被写体光学像を電子的な画像データに変換する撮像手段と、
前記撮像手段による撮像視野を光学的に視認可能とする光学ファインダ手段と、
前記撮像手段により得られた画像データを電子ファインダとしてモニタ画面に表示する表示モニタと、
前記撮像手段により得られた画像データを処理して画像記録媒体に記録する記録処理手段と、
前記撮像光学系をズーミング動作させるズーム駆動手段と、
前記撮像光学系を、被写体に合焦させるべくフォーカシング動作させるフォーカシング駆動手段と、
前記表示モニタによる撮像画像データのリアルタイム表示を行うモニタ表示モードのオン／オフを制御するモニタ表示制御手段と、
レリーズボタンによる撮影操作、前記ズーム駆動手段を介して前記撮像光学系をズーミングさせるためのズーミング操作および前記モニタ表示制御手段によるモニタ表示モードのオン／オフ操作を行うための操作手段と、
前記モニタ表示制御手段の制御によりモニタ表示モードがオンのときは、前記操作手段におけるズーミング操作に応動して前記ズーム駆動手段およびフォーカシング駆動手段を所定量ずつ交互に駆動し、モニタ表示モードがオフのときは、該ズーミング操作に応動して前記ズーム駆動系を連続駆動する駆動制御手段と
を具備することを特徴とする電子カメラ。
【請求項２】
ズーミングにともなって被写体光学像の結像面位置が変動するバリフォーカルズームレンズを用いて構成した撮像光学系と、
前記撮像光学系により結像される被写体光学像を電子的な画像データに変換する撮像手段と、
前記撮像手段による撮像視野を光学的に視認可能とする光学ファインダ手段と、
前記撮像手段により得られた画像データを電子ファインダとしてモニタ画面に表示する表示モニタと、
前記撮像手段により得られた画像データを処理して画像記録媒体に記録する記録処理手段と、
前記撮像光学系をズーミング動作させるズーム駆動手段と、
前記撮像光学系を、被写体に合焦させるべくフォーカシング動作させるフォーカシング駆動手段と、
前記表示モニタによる撮像画像データのリアルタイム表示を行うモニタ表示モードのオン／オフを制御するモニタ表示制御手段と、
レリーズボタンによる撮影操作、前記ズーム駆動手段を介して前記撮像光学系をズーミングさせるためのズーミング操作および前記モニタ表示制御手段によるモニタ表示モードのオン／オフ操作を行うための操作手段と、
前記モニタ表示制御手段の制御によりモニタ表示モードがオンのときは、前記操作手段におけるズーミング操作に応動して前記ズーム駆動手段およびフォーカシング駆動手段を所定量ずつ交互に駆動し、前記モニタ表示モードがオフのときは、該ズーミング操作に応動して前記ズーム駆動系を優先して連続駆動してから前記フォーカシング駆動系を作動させる駆動制御手段と
を具備することを特徴とする電子カメラ。
【請求項３】
前記フォーカシング駆動手段は、前記モニタ表示モードがオフのときの前記ズーミング動作に伴うフォーカシング動作時には、最終ズーム位置における基準距離に対応させるための予備フォーカシングを行い、撮影操作時には、被写体に合焦させるための本フォーカシングを行う手段を含むことを特徴とする請求項２に記載の電子カメラ。
【発明の詳細な説明】
【０００１】
【発明の属する技術分野】
本発明は、撮影光学系に焦点距離を変化させるズーミングによって像面位置が変化するバリフォーカルズームレンズを用いる電子カメラに係り、特に、撮影画像を再生し表示する液晶モニタ等の表示モニタを有する電子カメラに関する。
【０００２】
【従来の技術】
写真撮影には、銀塩フィルムを用いる在来のカメラ、いわゆる銀塩カメラ、が従来から広く使用されている。一方、近年、ディジタルカメラ等と称され、被写体像を、例えばＣＣＤ（電荷結合素子）撮像素子等の固体撮像素子により撮像し、被写体の静止画像（スティル画像）または動画像（ムービー画像）の画像データを得て、いわゆるメモリカード等のＩＣ（集積回路）カードまたはビデオフロッピーディスク等にディジタル的に記録するタイプの電子カメラが急速に普及しつつある。
この種の電子カメラでは、撮影画像等の画像情報が電子的な画像データであるため、液晶ディスプレイパネルを用いた液晶モニタ等によって容易に表示させることができる。
【０００３】
そこで、撮影時の撮影画像の確認のための電子ファインダモニタ、および撮影画像の記録後の記録画像の確認および参照のための再生用モニタとして、液晶モニタ等の表示モニタを搭載したものが多い。しかし、このような液晶モニタによる電子ファインダを搭載したシステムにおいても、液晶モニタによる表示に要する消費電力の節約などのために、液晶モニタ等を用いずに光学系でのみ撮影視野等の確認を行うために光学的ファインダも併設することが多い。
【０００４】
ところで、カメラの撮影レンズとして、ズーミングに伴って結像される像面位置が移動するバリフォーカルタイプのズームレンズがある。このようなバリフォーカルズームレンズを、上述した電子ファインダとして使用することが可能な液晶モニタ等の表示モニタを有する電子カメラの撮影光学系として使用した場合、電子ファインダ動作時におけるモニタ画面をいわゆる「ピンぼけ」状態でなく適正に合焦した状態で観察できるようにするためには、ズーミングに対応してフォーカシングを行わなければならない。このバリフォーカルズームレンズにおけるフォーカシングに際しては、他の一般的な撮影光学系における撮像光学系の移動に代えて、結像面すなわち固体撮像素子の位置を移動することにより行う場合がある。
【０００５】
すなわち、バリフォーカルズームレンズの場合、ズーミングに対して光学系のズーム曲線に従ったズーミング動作と同時に固体撮像素子をズーム曲線に従ってフォーカシング動作させる必要がある。もちろん、ズーミングせずに、焦点距離つまりズーム位置を固定した状態で、被写体に合焦させるためのフォーカシング動作も固体撮像素子をバリフォーカルズームレンズの固定部位に対して相対的に移動させることにより行う。
このため、ズーミング用とフォーカシング用とに個別のモータを用いて、それぞれズーミング駆動系とフォーカシング駆動系とを構成することが行われる。しかしながら、電子カメラ等のように電源に電池等を用いるシステムでは、ズーミング用モータとフォーカシング用モータの２つのモータを同時に駆動すると、消費電流が増加し、電源としての電池の電圧低下等を生じて、電気回路部分の正常な動作を阻害するおそれがある。そこで、このようなシステムにおいては、ズーミング駆動と、フォーカシング駆動とを、最小駆動量ずつ交互に行わせることにより、一度に大電流を消費することがないようにしている。
【０００６】
【発明が解決しようとする課題】
しかしながら、上述したように個別のモータを用いて、バリフォーカルズームレンズを用い、且つそれぞれズーミング駆動系とフォーカシング駆動系とを構成する電子カメラにおいて、ズーミング駆動と、フォーカシング駆動とを、最小駆動量ずつ交互に行わせることにより、一度に大電流を消費することがないようにすると、ズーミングに際しての駆動効率が低下して、ズーミングの開始から完了までのズーム駆動時間が長くなってしまい、ズーミング動作の全体における消費電力も増加するという問題がある。しかも、このようにズーミング駆動と、フォーカシング駆動とを、最小駆動量ずつ交互に行わせると、２つのモータを、交互に、微少時間ずつ起動・停止を繰り返して、断続的に作動させることになるため、ズーミング動作時における光学系駆動音が増大するという問題も生じる。
【０００７】
本発明は、上述した事情に鑑みてなされたもので、バリフォーカルズームレンズを撮影光学系に用いた電子カメラにおいて、ズーミング駆動系とフォーカシング駆動系との駆動制御を工夫して、ズーミングの開始から完了までのズーミング時間を短縮し、ズーム作動音を低減することを可能とする電子カメラを提供することを目的としている。
本発明の請求項１の目的は、特に、モニタ画面を電子ファインダとして用いているときと、モニタ画面を電子ファインダとして用いていないときとで、ほとんど性能を犠牲にすることなく、ズーミング時間の短縮、並びに消費電力およびズーミング動作音の低減を可能とする電子カメラを提供することにある。
【０００８】
本発明の請求項２の目的は、特に、モニタ画面を電子ファインダとして用いているときと、モニタ画面を電子ファインダとして用いていないときとで、性能を犠牲にすることなく、ズーミング時間の短縮、並びに消費電力およびズーミング動作音の低減を可能とする電子カメラを提供することにある。
本発明の請求項３の目的は、特に、モニタ画面を電子ファインダとして用いていないときの撮影時間の増大を効果的に防止し得る電子カメラを提供することにある。
【０００９】
【課題を解決するための手段】
請求項１に記載した本発明に係る電子カメラは、上述した目的を達成するために、
ズーミングにともなって被写体光学像の結像面位置が変動するバリフォーカルズームレンズを用いて構成した撮像光学系と、
前記撮像光学系により結像される被写体光学像を電子的な画像データに変換する撮像手段と、
前記撮像手段による撮像視野を光学的に視認可能とする光学ファインダ手段と、
前記撮像手段により得られた画像データを電子ファインダとしてモニタ画面に表示する表示モニタと、
前記撮像手段により得られた画像データを処理して画像記録媒体に記録する記録処理手段と、
前記撮像光学系をズーミング動作させるズーム駆動手段と、
前記撮像光学系を、被写体に合焦させるべくフォーカシング動作させるフォーカシング駆動手段と、
前記表示モニタによる撮像画像データのリアルタイム表示を行うモニタ表示モードのオン／オフを制御するモニタ表示制御手段と、
レリーズボタンによる撮影操作、前記ズーム駆動手段を介して前記撮像光学系をズーミングさせるためのズーミング操作および前記モニタ表示制御手段によるモニタ表示モードのオン／オフ操作を行うための操作手段と、
前記モニタ表示制御手段の制御によりモニタ表示モードがオンのときは、前記操作手段におけるズーミング操作に応動して前記ズーム駆動手段およびフォーカシング駆動手段を所定量ずつ交互に駆動し、モニタ表示モードがオフのときは、該ズーミング操作に応動して前記ズーム駆動系を連続駆動する駆動制御手段と
を具備することを特徴としている。
【００１０】
また、請求項２に記載した本発明に係る電子カメラは、
ズーミングにともなって被写体光学像の結像面位置が変動するバリフォーカルズームレンズを用いて構成した撮像光学系と、
前記撮像光学系により結像される被写体光学像を電子的な画像データに変換する撮像手段と、
前記撮像手段による撮像視野を光学的に視認可能とする光学ファインダ手段と、
前記撮像手段により得られた画像データを電子ファインダとしてモニタ画面に表示する表示モニタと、
前記撮像手段により得られた画像データを処理して画像記録媒体に記録する記録処理手段と、
前記撮像光学系をズーミング動作させるズーム駆動手段と、
前記撮像光学系を、被写体に合焦させるべくフォーカシング動作させるフォーカシング駆動手段と、
前記表示モニタによる撮像画像データのリアルタイム表示を行うモニタ表示モードのオン／オフを制御するモニタ表示制御手段と、
レリーズボタンによる撮影操作、前記ズーム駆動手段を介して前記撮像光学系をズーミングさせるためのズーミング操作および前記モニタ表示制御手段によるモニタ表示モードのオン／オフ操作を行うための操作手段と、
前記モニタ表示制御手段の制御によりモニタ表示モードがオンのときは、前記操作手段におけるズーミング操作に応動して前記ズーム駆動手段およびフォーカシング駆動手段を所定量ずつ交互に駆動し、前記モニタ表示モードがオフのときは、該ズーミング操作に応動して前記ズーム駆動系を優先して連続駆動してから前記フォーカシング駆動系を作動させる駆動制御手段と
を具備することを特徴としている。
【００１１】
請求項３に記載した本発明に係る電子カメラは、前記フォーカシング駆動手段として、前記モニタ表示モードがオフのときの前記ズーミング動作に伴うフォーカシング動作時には、最終ズーム位置における基準距離に対応させるための予備フォーカシングを行い、撮影操作時には、被写体に合焦させるための本フォーカシングを行う手段を含むことを特徴としている。
【００１２】
【作用】
すなわち、本発明の請求項１による電子カメラは、ズーミングにともなって被写体光学像の結像面位置が変動するバリフォーカルズームレンズを用いて構成した撮像光学系により結像される被写体光学像を撮像手段にて電子的な画像データに変換するとともに、前記画像データを電子ファインダとして表示モニタのモニタ画面に表示する機能と、前記撮像手段による撮像視野を光学ファインダにより光学的に視認可能とする機能とを備え、前記撮像光学系をズーミング動作させるズーム駆動手段と、前記撮像光学系を、被写体に合焦させるべくフォーカシング動作させるフォーカシング駆動手段とを、前記表示モニタによる撮像画像データのリアルタイム表示を行う表示制御手段のオン／オフ制御に応答して、駆動制御手段を制御し、モニタ表示モードがオンのときは、ズーミング操作に応動して、前記ズーム駆動手段とフォーカシング駆動手段とを所定量ずつ交互に駆動し、モニタ表示モードがオフのときは、前記ズーム駆動系を一括的に連続駆動する構成とする。
【００１３】
このような構成により、ズーミング駆動系とフォーカシング駆動系との駆動制御を工夫して、モニタ画面を電子ファインダとして用いているときには、モニタ画面が合焦状態を維持するように所定量ずつ交互に駆動し、モニタ画面を電子ファインダとして用いていないときには、ズーミング駆動系を連続駆動するので、いずれの場合にもほとんど性能を犠牲にすることなく、ズーミング時間の短縮、並びに消費電力およびズーミング動作音の低減が可能となる。
【００１４】
また、本発明の請求項２による電子カメラは、ズーミングにともなって被写体光学像の結像面位置が変動するバリフォーカルズームレンズを用いて構成した撮像光学系により結像される被写体光学像を撮像手段にて電子的な画像データに変換するとともに、前記画像データを電子ファインダとして表示モニタのモニタ画面に表示する機能と、前記撮像手段による撮像視野を光学ファインダにより光学的に視認可能とする機能とを備え、前記撮像光学系をズーミング動作させるズーム駆動手段と、前記撮像光学系を、被写体に合焦させるべくフォーカシング動作させるフォーカシング駆動手段とを、前記表示モニタによる撮像画像データのリアルタイム表示を行う表示制御手段のオン／オフ制御に応答して、駆動制御手段を制御し、モニタ表示モードがオンのときは、ズーミング操作に応動して、前記ズーム駆動手段とフォーカシング駆動手段とを所定量ずつ交互に駆動し、モニタ表示モードがオフのときは、前記ズーム駆動系を優先的に連続駆動してから前記フォーカシング駆動系を作動させる構成とする。
【００１５】
このような構成により、特に、ズーミング駆動系とフォーカシング駆動系との駆動制御を工夫して、モニタ画面を電子ファインダとして用いているときには、モニタ画面が合焦状態を維持するように所定量ずつ交互に駆動し、モニタ画面を電子ファインダとして用いていないときには、ズーミング駆動系を連続駆動するので、いずれの場合にも性能を犠牲にすることなく、ズーミング時間の短縮、並びに消費電力およびズーミング動作音の低減が可能となる。
【００１６】
本発明の請求項３による電子カメラは、前記フォーカシング駆動手段として、前記モニタ表示モードがオフのときの前記ズーミング動作に伴うフォーカシング動作時には、最終ズーム位置における基準距離に対応させるための予備フォーカシングを行い、撮影操作時には、被写体に合焦させるための本フォーカシングを行う手段を含む。
このような構成により、特に、ズーミング完了状態で、基準距離位置に予備フォーカシングしておき、モニタ画面を電子ファインダとして用いていないときの撮影時間の増大を効果的に防止することができる。
【００１７】
【発明の実施の形態】
以下、実施の形態に基づき、図面を参照して本発明のカメラを詳細に説明する。
図１〜図７は、本発明の電子カメラ一つの実施の形態に係るディジタルスティルカメラの機械的な構成を示している。図１は、ディジタルスティルカメラの背面の外観構成を示す図である。図２〜図４は、図１のディジタルスティルカメラにおける扉機構を詳細に説明するための図であり、図２および図３は、該扉機構に係る部分を透視して示し、図４は、扉機構の扉部材部分の縦断面を示す。図１、図２および図４は扉機構の扉部材が閉じた状態を示し、図３は扉部材が開いた状態を示している。図５〜図７は、図１のディジタルスティルカメラに用いられるズームレンズからなる撮像光学系である撮像レンズ系の構成を詳細に説明するための図であり、図５は撮像レンズ系の光軸に沿う断面についての縦断面を示し、図６は光軸と直交する断面についての模式図を示し、図７はズーミング動作を生じさせるためのカムリングを展開してカム溝の配置構成を示している。
【００１８】
図１は、ディジタルスティルカメラ１００のカメラボディ１００ａの背面を示しており、該図１には、メモリカード扉１、レリーズボタン２、回転モードダイヤル３、モードボタン４、ファインダ接眼窓５、電池室蓋６、扉部材７、メイン電源ボタン８およびモニタ表示ボタン９が示されている。図２〜図４においては、さらに扉機構に関連する部分が詳細に示されており、スイッチ作動部１１、軸１２、軸１３、回転レバー１４、軸１５、クリック板バネ１６、下側レール部２１、上側レール部２２、液晶モニタ１２２、およびメイン電源スイッチ１２９が示されている。これらスイッチ作動部１１、軸１２、軸１３、回転レバー１４、軸１５、クリック板バネ１６、下側レール部２１、上側レール部２２および扉部材７により扉機構が構成される。
【００１９】
メモリカード扉１は、メモリカード１１０（図８に関連して後述する）の収納部を覆う扉である。レリーズボタン２、回転モードダイヤル３、モードボタン４およびモニタ表示ボタン９は、操作部１２３（図８に関連して後述する）に含まれる。レリーズボタン２は、撮影に際してのレリーズ操作を行うための操作部である。回転モードダイヤル３は撮影および記録等の各種動作モードを切換え選択するための操作部である。モードボタン４は、回転モードダイヤル３の選択ポジションと関連して操作することにより、液晶モニタ１２２のモニタ画面１２２ａに各種モード状態、撮影画像および再生画像を表示させて、動作モードの変更および選択を行ったり、表示画像を選択したりするための操作部である。
【００２０】
ファインダ接眼窓５は、撮像視野を光学像として観察するための光学ファインダの接眼部である。電池室蓋６は、電池１２７（図８に関連して後述する）を収容する電池室の蓋であり、この電池室蓋６は電池１２７の交換の際に開閉操作される。
扉部材７は、後述する扉機構を構成し、該扉機構により開閉操作され、図１、図２および図４のような閉状態において液晶モニタ１２２のモニタ画面１２２ａを覆い、図３のような開状態においてモニタ画面１２２ａを観察可能とする。
【００２１】
メイン電源ボタン８は、メイン電源スイッチ１２９をオン／オフ操作するための操作部材であり、スライド操作可能とするためカメラボディ１００ａの背面から若干突出している。
【００２２】
図１、図２および図４は、扉機構が閉状態、すなわち液晶モニタ１２２のモニタ画面１２２ａが扉部材７に被われた状態を示している。このとき、図２に示すメイン電源スイッチ１２９は、メイン電源ボタン８と一体に動作するスイッチ作動部１１により押圧されていないためオフ状態である。ユーザは、この状態で、当該ディジタルスティルカメラ１００を携帯し、所望に応じて持ち歩く。
ユーザが、当該ディジタルスティルカメラ１００により、撮影または再生するときには、メイン電源ボタン８を、図１における右方向にスライドさせ、「ＯＮ」と表示されたオン位置まで移動させる。
【００２３】
メイン電源ボタン８は、回転レバー１４に突設された軸１２に係合している。回転レバー１４は、一端において軸１３に回動可能に軸支されており、該回転レバー１４の他端、すなわち回動端、は、扉部材７に突設された軸１５に係合している。このため、メイン電源ボタン８のスライド操作により、回転レバー１４は矢印Ｄ１方向に回動し、扉部材７が矢印Ｄ２方向に移動して、図３に示すような状態となる。
【００２４】
図３の状態では、メイン電源スイッチ１２９は、メイン電源ボタン８に一体に設けられたスイッチ作動部１１により押圧されてオン状態となる。また、扉部材７は、液晶モニタ１２２のモニタ画面１２２ａ上から退避して開状態となり、モニタ画面１２２ａは、扉部材７に被われていない。
撮影時には、この状態で回転モードダイヤル３を操作して撮影ポジションとし、ファインダ接眼窓５より、光学ファインダを観察して構図を決め、レリーズボタン２を押して、撮影を行う。このとき、モニタ表示ボタン９を押せば、図示省略のモニタ表示制御手段の表示制御により、液晶モニタ１２２のモニタ画面１２２ａに撮影中の影像が表示される。このモニタ画面１２２ａを、電子ファインダとして用い、該モニタ画面１２２ａを観察して構図を決めて撮影を行うこともできる。
【００２５】
また、再生時には、回転モードダイヤル３を操作して再生ポジションとすることにより、液晶モニタ１２２のモニタ画面１２２ａに再生画像を表示させる。このとき、モードボタン４を操作することにより表示画像を選択することができる。カメラボディ１００ａの内部において、メイン電源ボタン８に一体的に固定されたクリック板バネ１６は、カメラボディ１００ａの内面に設けられた凹凸（図示せず）に係合して、メイン電源ボタン８をオン位置（ＯＮ）および「ＯＦＦ」と表示されたオフ位置に係止させるクリック力を発生させる。
【００２６】
扉部材７は、カメラボディ１００ａの内側においてスライド移動可能にガイドされており、図３の状態ではカメラボディ１００ａの内部に収納される。
図示のように、メイン電源ボタン８はカメラボディ１００ａの背面の略中央下部に配置されており、扉機構の回転レバー１４を用いたリンク機構により、扉部材７を作動させるため、該メイン電源ボタン８は扉部材７の移動量に比べて少ない移動量で済む。図１〜図３の場合は、メイン電源ボタン８のスライド移動量と扉部材７のスライド移動量とは約１：４の比率になっている。
【００２７】
図４に示す断面図に示すように、カメラボディ１００ａの内部には、液晶モニタ１２２が、モニタ画面１２２ａを外側に向けて配設されており、モニタ画面１２２ａの外側に、それを覆うための扉部材７が配置されている。扉部材７は、カメラボディ１００ａに設けられた下側レール部２１および上側レール部２２により、上下縁部をガイドされて移動する。この場合、扉部材７の材質は金属とする。扉部材７を金属製とすると、プラスチック製の場合よりも薄く形成することができ、且つ高い強度を得ることができる。そのため、液晶モニタ１２２の後面から、カメラボディ１００ａの後面までの寸法Ｔを約３mmと薄く形成することができる。
【００２８】
図５および図６に撮像レンズ系１０１およびＣＣＤ固体撮像素子１０３、並びにこれらを駆動するズームドライバ１２４およびフォーカスドライバ１２５（これら各部の機能については図８に関連して後述する）に関連する部分の構成を示している。
図５および図６においては、ズームモータ５０、減速ギヤ５１、カムリング５２、固定筒５３、ピン５４、１群支持枠５５、ピン５６、２群支持枠５７、第３群レンズ系５８、第１群レンズ系５９、第２群レンズ系６０、フォーカスモータ６１、アイドラギヤ６２、カムリング６３、光学フィルタ６４、ＣＣＤ支持枠６５、スプリング６６およびＣＣＤ固体撮像素子１０３が示されている。
【００２９】
第１群レンズ系５９、第２群レンズ系６０、第３群レンズ系５８および光学フィルタ６４は、撮像レンズ系１０１を構成している。ズームモータ５０、減速ギヤ５１、第１のカムリング５２、固定筒５３、ピン５４、１群支持枠５５、ピン５６および２群支持枠５７は、ズームドライバ１２４の一部を構成し、フォーカスモータ６１、アイドラギヤ６２、第２のカムリング６３、ＣＣＤ支持枠６５およびスプリング６６は、フォーカスドライバ１２５の一部を構成する。
【００３０】
なお、この場合、第１群レンズ系５９、第２群レンズ系６０、第３群レンズ系５８および光学フィルタ６４からなる撮像レンズ系１０１は、ズーミングに際して、第３群レンズ系５８および光学フィルタ６４を固定しておき、第１群レンズ系５９および第２群レンズ系６０を光軸方向に沿って所定の動作パターンにより直進移動させる。例えば、第２群レンズ系６０の動作により、ズーミングつまり変倍を行い、第１群レンズ系５９の動作により、ズーミングに伴う収差の補正を行う。
【００３１】
第１のカムリング５２には、図７に示すように、それぞれ所定のカム形状の第１のカム溝５２ａおよび第２のカム溝５２ｂが形成され、固定筒５３には光軸方向に平行な第１のガイド溝５３ａおよび第２のガイド溝５３ｂが形成されている。１群支持枠５５に突設されたピン５４は、固定筒５３の第１のガイド溝５３ａを通り、第１のカムリング５２の第１のカム溝５２ａに係合している。したがって、ズームモータ５０により、第１のカムリング５２が回動すると、第１のカム溝５２ａの曲線に従ってピン５４が固定筒５３のガイド溝５３ａに沿って作動し、第１群レンズ系５９を移動させる。また、２群支持枠５７に突設されたピン５６は、固定筒５３の第２のガイド溝５３ｂを通り、第１のカムリング５２の第２のカム溝５２ｂに係合している。したがって、第１のカムリング５２が回動すると、第２のカム溝５２ｂの曲線に従ってピン５６が固定筒５３のガイド溝５３ａに沿って作動し、第２群レンズ系６０を移動させる。
【００３２】
第２のカムリング６３の端面には、所定のカム形状のカム部６３ａが形成されており、ＣＣＤ支持枠６５には、カム部６３ａに当接される前方への凸部６５ａおよび光軸方向に沿って後方に突出するガイド軸６５ｂを設けている。固定筒５３には、ガイド軸６５ｂに対応するガイド孔５３ｃを設けている。ＣＣＤ支持枠６５は、ガイド軸６５ｂを固定筒５３のガイド孔５３ｃに嵌挿しており、ＣＣＤ支持枠６５は、固定筒５３に対して直進方向にのみ作動するようになっている。スプリング６６は、ＣＣＤ支持枠６５を前方に押圧しており、フォーカスモータ６１が、第２のカムリング６３を回動させることにより、カム部６３ａのカム形状に従い且つ該押圧力に抗して、ＣＣＤ支持枠６５を直進移動させる。
なお、図５および図６には明示していないが、第１群レンズ系５９、第２群レンズ系６０、第３群レンズ系５８および光学フィルタ６４からなる撮像レンズ系１０１の光路上の適宜なる位置にシャッタ機構１０２を設けている。
【００３３】
図５〜図７に示す構成において、メイン電源ボタン８のスライド操作により、メイン電源スイッチ１２９がオンとなった状態で、操作部１２３によりズーミング操作を行うと、ズームドライバ１２４に内蔵されるモータ駆動回路により、ズームモータ５０が駆動され、減速ギヤ５１を介して第１のカムリング５２が回動する。第１のカムリング５２の回動により、ピン５４を介して１群支持枠５５が作動する。ピン５４は、第１のカムリング５２に形成された第１のカム溝５２ａおよび固定筒５３に形成された第１のガイド溝５３ａによって案内され、１群支持枠５５を、第１のカム溝５２ａの形状に応じた動作特性で、光軸に平行な方向に直進動作させる。同様に、第１のカムリング５２の回動により、ピン５６を介して２群支持枠５７が作動する。
【００３４】
ピン５６は、第１のカムリング５２に形成された第２のカム溝５２ｂおよび固定筒５３に形成された第２のガイド溝５３ｂによって案内され、２群支持枠５７を、第２のカム溝５２ｂの形状に応じた動作特性で、光軸に平行な方向に直進動作させる。
固定筒５３には第３群レンズ系５８が固定支持されており、該第３群レンズ系５８に対して、上述の１群支持枠５５に支持された第１群レンズ系５９および２群支持枠５７に支持された第２群レンズ系６０が、それぞれ所定の動作パターンに従って動作することにより、撮像レンズ系１０１によるズーミングが行われる。
【００３５】
また、操作部１２３によるズーミング操作に関連し、または測距情報に従って、フォーカスドライバ１２５に内蔵されるモータ駆動回路により、フォーカスモータ６１が駆動され、アイドラギヤ６２を介して第２のカムリング６３が回動する。第２のカムリング６３の回動により、カム部６３ａを介してＣＣＤ支持枠６５が作動する。すなわち、ＣＣＤ支持枠６５は、ガイド軸６５ｂを固定筒５３のガイド孔５３ｃに嵌挿して、光軸に沿って直進移動可能に設けられるとともに、スプリング６６により押圧されて凸部６５ａが、第２のカムリング６３の一端面に形成されたカム部６３ａに当接している。第２のカムリング６３の回動によって、ＣＣＤ支持枠６５が、支持枠にカム部６３ａのカム形状に従った動作特性で、光軸に平行な方向に直進動作する。
ＣＣＤ支持枠６５にはＣＣＤ固体撮像素子１０３が支持されており、固定筒５３に対してＣＣＤ固体撮像素子１０３が所定の動作パターンに従って動作することにより、ＣＣＤ固体撮像素子１０３の移動によるフォーカシングが行われる。
【００３６】
図８は、上述したディジタルスティルカメラの電子的な機能構成を模式的に示すブロック図である。
ディジタルスティルカメラ１００は、図８に示すように、撮像レンズ系１０１、シャッタ機構１０２、ＣＣＤ固体撮像素子１０３、ＣＤＳ（相関二重サンプリング）回路１０４、第１のＡ／Ｄ（アナログ−ディジタル）変換器１０５、ディジタル信号処理部１０６、画像圧縮／伸長部１０７、ＦＩＦＯ（first in-first out）１０８、カードインタフェース（Ｉ／Ｆ）１０９、メモリカード１１０、マイクロフォン１１１、フィルタアンプ（フィルタ増幅器）１１２、第２のＡ／Ｄ（アナログ−ディジタル）変換器１１３、音声圧縮／伸長部１１４、ＣＰＵ１２１、液晶モニタ１２２、操作部１２３、ズームドライバ１２４、フォーカスドライバ１２５、制御信号生成部（ＳＧ）１２６、電池１２７、ＤＣ−ＤＣコンバータ１２８およびメイン電源スイッチ１２９、を具備している。
【００３７】
撮像レンズ系１０１は、この場合、バリフォーカルズームレンズを採用しており、通常撮影およびパノラマ撮影等において被写体像を結像するための撮像光学系を構成する。シャッタ機構１０２は、絞り機構等を含み、レリーズ時および被写体観察時の露光量を制御する。撮像素子としては、この実施の形態では、ＣＣＤ固体撮像素子１０３が用いられている。ＣＣＤ固体撮像素子１０３は、撮像光学系により結像された光学像を電気信号に変換する。
ＣＤＳ回路１０４は、相関二重サンプリングによりＣＣＤ固体撮像素子１０３における雑音成分を抑圧する。Ａ／Ｄ変換器１０５はＣＤＳ回路１０４を介して入力されるＣＣＤ固体撮像素子１０３からのアナログ画像信号をディジタル画像データに変換する。
【００３８】
すなわち、ＣＣＤ固体撮像素子１０３の出力信号は、ＣＤＳ回路１０４を経てＡ／Ｄ変換器１０５において最適なサンプリング周波数でサンプリングされてディジタル値に変換される。
ディジタル信号処理部１０６は、Ａ／Ｄ変換器１０５から入力したディジタル画像データを色差成分と輝度成分に分けて、所要の各種処理、補正処理および画像圧縮／伸長のための前処理を施す。画像圧縮／伸長部１０７は、例えばＪＰＥＧ（Joint Photographic Experts Group）準拠の画像圧縮／伸長のための直交変換およびハフマン符号化／復号化等の処理を行う。
【００３９】
一方、音声は、マイクロフォン１１１により電気信号に変換され、フィルタアンプ１１２により所要の周波数帯域のみが選択的に増幅され、Ａ／Ｄ変換器１１３により所要の周波数帯域の２倍以上の周波数でサンプリングされてディジタル値に変換される。さらに、このディジタル値は、音声圧縮／伸長部１１４により圧縮され、符号化処理される。
ＦＩＦＯ１０８は、例えばＤＲＡＭ（Dynamic Random Access Memory）、フラッシュメモリ等で実現される一時記憶手段であり、圧縮処理された画像データと音声データを一旦蓄える。ＦＩＦＯ１０８に保持された圧縮画像データおよび圧縮音声データは、カードインタフェース１０９に読み出され、該カードインタフェース１０９に結合される記録媒体であるメモリカード１１０に書き込まれる。
【００４０】
ＣＰＵ１２１は、上述したレリーズボタン２、回転モードダイヤル３、モードボタン４およびモニタ表示ボタン９等を含む操作部１２３からの指示に従い、上記各部の動作を制御する駆動制御手段としての機能を有する。液晶モニタ１２２は、操作部１２３のモニタ表示ボタン９の操作に応動するモニタ表示制御手段の制御によって、当該ディジタルスティルカメラ１００の動作状態等のモード表示を行う。また、液晶モニタ１２２は、上記モニタ表示制御手段によるオン／オフ制御によって、撮像前および撮像中のディジタル画像データをリアルタイムで表示して電子ファインダとして用いたり、撮像後のディジタル画像データおよび伸長されて復元された記録画像データを再生表示するために用いたりする。
【００４１】
ズームドライバ１２４は、駆動制御手段としての機能を持つＣＰＵ１２１の制御に従って撮像レンズ系１０１を、駆動して、ズーミングを行わせる。なお、ズーミングは、例えば操作部１２３としてズーミングボタン（図示せず）を設けておき、該ズーミングボタンの操作に応じてＣＰＵ１２１がズーミング制御を行う。フォーカスドライバ１２５は、オートフォーカス（ＡＦ）機構および自動露光制御（ＡＥ）機構を含み、レリーズ時および被写体観察時等に、シャッタ機構１０２およびＣＣＤ固体撮像素子１０３を、ＣＰＵ１２１の制御に従って駆動して、フォーカシングおよび露光制御等を行う。なお、この場合、フォーカシングは、ＣＣＤ固体撮像素子１０３の移動により行う。制御信号生成部１２６は、クロック信号等の駆動制御信号を生成して、ＣＣＤ固体撮像素子１０３、ＣＤＳ回路１０４およびＡ／Ｄ変換器１０５に供給し、これら各部を作動させる。
【００４２】
当該ディジタルスティルカメラ１００の電源部は、電池１２７、ＤＣ−ＤＣ（直流−直流）コンバータ１２８およびメイン電源スイッチ１２９で構成される。電池１２７には、Ｎｉ−Ｃｄ（ニッケルカドミウム）電池、ニッケル水素電池およびリチウム電池等が用いられ、該バッテリ１２７の出力がＤＣ−ＤＣコンバータ１２８で所要の電圧に変換されて、各部に供給される。メイン電源スイッチ１２９は、ＤＣ−ＤＣコンバータ１２８による各部への電源供給を制御して当該ディジタルスティルカメラ１００の動作をオン／オフさせる。
【００４３】
このディジタルスティルカメラ１００は、操作部１２３のレリーズボタン２を押下する以前からＣＣＤ固体撮像素子１０３によりとらえられている画像を液晶モニタ１２２にリアルタイムで表示させて、電子的に撮像視野を確認するための電子ファインダ機能によるモニタ表示モードを備えており、該電子ファインダを観察しながらレリーズボタン２等を操作して撮像を行うことができる。レリーズボタン２のレリーズ操作により、シャッタ機構１０２を開いて、被写体像をＣＣＤ固体撮像素子１０３で撮像し、ディジタル信号処理部１０６等を介してメモリカード１１０に画像データを書き込む。
【００４４】
上述したディジタルスティルカメラ１００の各機能構成およびその作用を整理して説明する。
ディジタルスティルカメラ１００においては、液晶モニタ１２２のモニタ画面１２２ａを覆う扉部材７の開閉とメイン電源ボタン８の操作が連動して行われるため、液晶モニタのモニタ画面１２２ａが扉部材７に覆われた状態では、メイン電源ボタン８がオフ位置にあり、携帯時の液晶モニタ１２２のモニタ画面１２２ａの保護と電源の節約が簡単な操作で確実に行われる。また、扉部材７を開けてモニタ画面１２２ａを覆わない状態にすれば、メイン電源ボタン８がオン位置になるため、その状態で撮影から再生に回転モードダイヤル３のポジションを切り換えた場合にも、メイン電源スイッチ８を再度オンとするという余計な操作なしに、再生モードに移行することができる。
【００４５】
また、撮影状態においても、光学ファインダの接眼窓５を覗いて構図を決める状態から、液晶モニタ１２２のモニタ画面１２２ａの影像を見て電子ファインダにより構図を決める状態への移行を、モニタ表示ボタン９を押すという操作だけで行うことができる。
ディジタルスティルカメラ１００においては、液晶モニタ１２２のモニタ画面１２２ａを覆う扉部材７の開閉をメイン電源ボタン８の操作に連動して行わせるため、メイン電源ボタン８をオフ位置にすれば、液晶モニタのモニタ画面１２２ａが扉部材７に覆われ、携帯時の液晶モニタ１２２のモニタ画面１２２ａの保護が簡単な操作で確実に行われる。また、メイン電源ボタン８をオン位置にすれば、扉部材７がモニタ画面１２２ａを覆わない状態になるため、その状態で撮影から再生に回転モードダイヤル３のポジションを切り換えた場合にも、扉部材７を開けるという余計な操作なしに、再生モードに移行することができる。
【００４６】
また、撮影状態においても、光学ファインダの接眼窓５を覗いて構図を決める状態から、液晶モニタ１２２のモニタ画面１２２ａの影像を見て電子ファインダにより構図を決める状態への移行を、モニタ表示ボタン９を押すという操作だけで行うことができる。
ところで、撮像レンズ系１０１は、上述したようにバリフォーカルタイプのズームレンズを採用しており、ズーミング動作に伴い、図９に示すようなズーミング曲線に従って、合焦位置（ピント位置）が移動する。例えば、被写体距離が無限大（∞）である場合、ワイド（広角）端Ｗにおける合焦位置を基準とすると、ワイド端Ｗからテレ（望遠）端Ｔへ向かってズーミングすると、合焦位置はズーム位置（ズームポジション）によって異なる位置となり、ズーミングにつれて合焦位置が図示曲線Ｃ０のように移動する。
【００４７】
つまり、図示ズーム位置Ｚ１における合焦位置はワイド端Ｗにおける合焦位置から図示距離ｄだけ移動する（移動方向はレンズによって異なる）。また、被写体距離が有限距離、例えば２ｍ、である場合のズーミングによる合焦位置のズーム曲線は図示曲線Ｃ１のようになる。
この電子カメラ１００では、モニタ表示制御手段の制御によりモニタ表示モードがオンのときのズーム駆動を図１０に示すようにして行う。モニタ表示モードがオンとなっているときは、ＣＣＤ固体撮像素子１０３がとらえた影像が液晶モニタ１２２のモニタ画面１２２ａに表示されているから、ズームモータ５０によるズーミングに追随してフォーカスモータ６１により適正なフォーカシングを行って常に合焦状態を維持するようにしなければ、液晶モニタ１２２のモニタ画面１２２ａに不鮮明な影像が表示されることになり、操作性が低下するばかりか商品として劣悪な印象を与えるおそれがある。
【００４８】
そこで、ズーミング領域を例えば８ステップに分割し、ＣＰＵ１２１は、ズームドライバ１２４、がズームモータ５０を１ステップ作動させると、次に、それに対応してフォーカスドライバ１２５がフォーカスモータ６１を１ステップぶん作動させてフォーカス位置つまりＣＣＤ固体撮像素子１０３を所定量移動させ、ズーミングが行われている間この動作を繰り返す。すなわち、ズーミング動作時は、ズームモータ５０およびフォーカスモータ６１が交互に所定量ずつ作動して、ズーム位置変化に伴うフォーカス変化を追随補正する。
【００４９】
この場合、全ズーム領域を所定量、例えば８ステップに分割しているため、全ズーム領域にわたるズーミングを行うと、ズームモータ５０が間欠的に８回動作し、該ズームモータ５０の休止期間にフォーカスモータ６１が間欠的に８回動作する。このようにして、ズームモータ５０とフォーカスモータ６１が交互に動作することにより、同時駆動による大電流を消費することなく、フォーカシング状態をズーミングに追随させる。なお、間欠動作の各ステップにおけるズームモータ５０およびフォーカスモータ６１の単位動作量は、パルスモータの１パルスずつというわけではなく、全体を適宜分割した所定量ずつであるので、パルスモータを１ステップずつ交互に駆動する場合に比べて、動作効率もよく動作音の発生も少ない。
【００５０】
一方、この電子カメラ１００では、モニタ表示モードがオフのときのズーム駆動を図１１に示すようにして行う。モニタ表示モードがオフとなっているときは、ＣＣＤ固体撮像素子１０３がとらえた影像が液晶モニタ１２２のモニタ画面１２２ａに表示されていないので、ズーミングに追随して合焦状態を維持する必要はない。
そこで、ＣＰＵ１２１は、ズーミング動作を連続して行って、ズームドライバ１２４によりズームモータ５０を連続的に作動させ、所要量のズーミングが完了した時点で、全ズーミング量、つまり最終ズーミング位置、に対応してフォーカスドライバ１２５がフォーカスモータ６１を連続作動させてＣＣＤ固体撮像素子１０３を所定量移動させる。すなわち、ズーミング動作時は、ズームモータ５０の作動が終了してからフォーカスモータ６１が作動して、ズーム位置変化に伴うフォーカス変化を補正する。
【００５１】
なお、このとき、正確なフォーカシングは、最終的なレリーズボタン２の操作時に本フォーカシングとして行えばよいので、フォーカスモータ６１によるフォーカシングは、予めズーム位置における所定の有限距離に被写体があるときの合焦位置、例えば２〜３ｍ程度の被写体距離に対応する位置、に対応させて設定した基準フォーカス位置に一致させる程度の予備フォーカシングでよい。このようにしておけば、最終的な合焦位置への駆動量が小さくて済むので、レリーズボタン２の操作時にも速やかに合焦させることができる。なお、上述において基準フォーカス位置として用いた被写体距離２〜３ｍの位置とはいわゆるパンフォーカス位置であり、レンズが決定されれば被写体位置にかかわらず、各ズーム位置に一対一に対応して定まるので、予めＣＰＵ１２１等に記憶させておくことができ、モニタ表示モードがオンのときのフォーカシング制御にもこれを用いるようにしてもよい。
【００５２】
また、上述においては、モニタ表示モードオフ時には、ズーミング動作後、フォーカシングまたは予備フォーカシングを行うものとしたが、レリーズボタン２の操作時に初めてフォーカシングを行うようにしてもよい。
このようにして、ズーミング駆動系とフォーカシング駆動系との駆動制御を工夫し、モニタ画面を電子ファインダとして用いているときには、モニタ画面が合焦状態を維持するように所定量ずつ交互に駆動し、モニタ画面を電子ファインダとして用いていないときには、ズーミング駆動系を連続駆動するので、いずれの場合にもほとんど性能を犠牲にすることなく、ズーミング時間を短縮することができ、ズーミング動作音も著しく低減される。また、駆動効率が向上するので、消費電力を低減させることもできる。
なお、本発明は上述し且つ図面に示す実施の形態にのみ限定されることなく、その要旨を変更しない範囲内で種々変形実施することが可能である。
【００５３】
【発明の効果】
以上述べたように、本発明によれば、ズーミングにともなって被写体光学像の結像面位置が変動するバリフォーカルズームレンズを用いて構成した撮像光学系により結像される被写体光学像を撮像手段にて電子的な画像データに変換するとともに、前記画像データを電子ファインダとして表示モニタのモニタ画面に表示する機能と、前記撮像手段による撮像視野を光学ファインダにより光学的に視認可能とする機能とを備え、前記撮像光学系をズーミング動作させるズーム駆動手段と、前記撮像光学系を、被写体に合焦させるべくフォーカシング動作させるフォーカシング駆動手段とを、モニタ表示制御手段による撮像画像データのリアルタイム表示を行うモニタ表示モードのオン／オフ制御に応答して、駆動制御手段を制御し、モニタ表示モードがオンのときは、ズーミング操作に応動して、前記ズーム駆動手段とフォーカシング駆動手段とを所定量ずつ交互に駆動し、モニタ表示モードがオフのときは、前記ズーム駆動系を一括的に連続駆動する構成とすることにより、ズーミング駆動系とフォーカシング駆動系との駆動制御を工夫して、モニタ画面を電子ファインダとして用いているときには、モニタ画面が合焦状態を維持するように所定量ずつ交互に駆動し、モニタ画面を電子ファインダとして用いていないときには、ズーミング駆動系を連続駆動するので、いずれの場合にもほとんど性能を犠牲にすることなく、ズーミング時間の短縮、並びに消費電力およびズーミング動作音の低減が可能な電子カメラを提供することができる。
【００５４】
また、本発明の請求項２の電子カメラによれば、ズーミングにともなって被写体光学像の結像面位置が変動するバリフォーカルズームレンズを用いて構成した撮像光学系により結像される被写体光学像を撮像手段にて電子的な画像データに変換するとともに、前記画像データを電子ファインダとして表示モニタのモニタ画面に表示する機能と、前記撮像手段による撮像視野を光学ファインダにより光学的に視認可能とする機能とを備え、前記撮像光学系をズーミング動作させるズーム駆動手段と、前記撮像光学系を、被写体に合焦させるべくフォーカシング動作させるフォーカシング駆動手段とを、モニタ表示制御手段による撮像画像データのリアルタイム表示を行うモニタ表示モードのオン／オフ制御に応答して、駆動制御手段を制御し、モニタ表示モードがオンのときは、ズーミング操作に応動して、前記ズーム駆動手段とフォーカシング駆動手段とを所定量ずつ交互に駆動し、モニタ表示モードがオフのときは、前記ズーム駆動系を優先的に連続駆動してから前記フォーカシング駆動系を作動させる構成とすることにより、特に、ズーミング駆動系とフォーカシング駆動系との駆動制御を工夫して、モニタ画面を電子ファインダとして用いているときには、モニタ画面が合焦状態を維持するように所定量ずつ交互に駆動し、モニタ画面を電子ファインダとして用いていないときには、ズーミング駆動系を連続駆動するので、いずれの場合にも性能を犠牲にすることなく、ズーミング時間の短縮、並びに消費電力およびズーミング動作音の低減が可能となる。
【００５５】
本発明の請求項３の電子カメラによれば、前記フォーカシング駆動手段として、前記モニタ表示モードがオフのときの前記ズーミング動作に伴うフォーカシング動作時には、最終ズーム位置における基準距離に対応させるための予備フォーカシングを行い、撮影操作時には、被写体に合焦させるための本フォーカシングを行う手段を含むことにより、特に、ズーミング完了状態で、基準距離位置に予備フォーカシングしておき、モニタ画面を電子ファインダとして用いていないときの撮影時間の増大を効果的に防止することができる。
【図面の簡単な説明】
【図１】本発明の電子カメラ一つの実施の形態に係るディジタルスティルカメラの背面から見た外観構成を模式的に示す図である。
【図２】図１のディジタルスティルカメラの扉機構の閉状態における詳細を透視して示す模式図である。
【図３】図１のディジタルスティルカメラの扉機構の開状態における詳細を透視して示す模式図である。
【図４】図１のディジタルスティルカメラの扉機構の閉状態における一部を詳細に示す断面図である。
【図５】図１のディジタルスティルカメラのバリフォーカルズームレンズを用いた撮影光学系の構成を詳細に示す縦断面図である。
【図６】図５のバリフォーカルズームレンズを用いた撮影光学系の断面構成を示す模式図である。
【図７】図５のバリフォーカルズームレンズを用いた撮影光学系のカム構成を詳細に示す展開図である。
【図８】図１のディジタルスティルカメラの機能構成を模式的に示すブロック図である。
【図９】図１のディジタルスティルカメラのズーミングに伴う合焦位置の変化を示すズーミング曲線の説明図である。
【図１０】図１のディジタルスティルカメラのモニタ表示モードのオン時のズーミング駆動系とフォーカシング駆動系の動作タイミングを説明するタイムチャートである。
【図１１】図１のディジタルスティルカメラのモニタ表示モードのオフ時のズーミング駆動系とフォーカシング駆動系の動作タイミングを説明するタイムチャートである。
【符号の説明】
１  メモリカード扉
２  レリーズボタン
３  回転モードダイヤル
４  モードボタン
５  ファインダ接眼窓
６  電池室蓋
７  扉部材
８  メイン電源ボタン
９  モニタ表示ボタン
１１  スイッチ作動部
１２，１３，１５  軸
１４  回転レバー
１６  クリック板バネ
２１  下側レール部
２２  上側レール部
５０  ズームモータ
５１  減速ギヤ
５２  第１のカムリング
５２ａ  第１のカム溝
５２ｂ  第２のカム溝
５３  固定筒
５３ａ  第１のガイド溝
５３ｂ  第２のガイド溝
５４，５６  ピン
５５  １群支持枠
５７  ２群支持枠
５８  第３群レンズ系
５９  第１群レンズ系
６０  第２群レンズ系
６１  フォーカスモータ
６２  アイドラギヤ
６３  第２のカムリング
６３ａ  カム部
６４  光学フィルタ
６５  ＣＣＤ支持枠
６５ａ  凸部
６５ｂ  ガイド軸
６６  スプリング
１００  電子カメラ
１００ａ  カメラボディ
１０１  撮像レンズ系
１０２  シャッタ機構
１０３  ＣＣＤ（電荷結合素子）固体撮像素子
１０４  ＣＤＳ（相関二重サンプリング）回路
１０５，１１３  Ａ／Ｄ（アナログ−ディジタル）変換器
１０６  ディジタル信号処理部
１０７  画像圧縮／伸長部
１０８  ＦＩＦＯ（first in-first out）
１０９  カードインタフェース（Ｉ／Ｆ）
１１０  メモリカード
１１１  マイクロフォン
１１２  フィルタアンプ
１１４  音声圧縮／伸長部
１２１  ＣＰＵ（中央処理部）
１２２  液晶モニタ
１２２ａ  モニタ画面
１２３  操作部
１２４  ズームドライバ
１２５  フォーカスドライバ
１２６  制御信号生成部（ＳＧ）
１２７  電池
１２８  ＤＣ−ＤＣコンバータ
１２９  メイン電源スイッチ
【図１】
0003846768.tif 000002
【図２】
0003846768.tif 000003
【図３】
0003846768.tif 000004
【図４】
0003846768.tif 000005
【図５】
0003846768.tif 000006
【図６】
0003846768.tif 000007
【図７】
0003846768.tif 000008
【図８】
0003846768.tif 000009
【図９】
0003846768.tif 000010
【図１０】
0003846768.tif 000011
【図１１】
0003846768.tif 000012